(57)【要約】【課題】  本発明は、透明遊技盤の表側及び裏側における広い遊技領域で遊技球を流下させる弾球遊技機において、遊技の興趣を飛躍的に高めることができる。【解決手段】  本発明は、透明遊技盤１９の表側又は裏側に備えられた遊技領域Ｒ１又はＲ２を流下する遊技球を受け入れ、受け入れた遊技球を振り分けて透明遊技盤１９の表側又は裏側のいずれかの遊技領域Ｒ１又はＲ２に排出する振分部材２８を備える。【選択図】    図６
2005168581.tif 000002
【特許請求の範囲】
【請求項１】
正面側から見て裏側が視認可能な透明遊技盤を備える弾球遊技機であって、
前記透明遊技盤の表側及び裏側には遊技球が流下可能な遊技領域が備えられており、
前記透明遊技盤の表側又は裏側に備えられた遊技領域を流下する遊技球を受け入れ、受け入れた該遊技球を振り分けて前記透明遊技盤の表側又は裏側のいずれかの遊技領域に排出する振分部材を備えることを特徴とする弾球遊技機。
【請求項２】
前記振分部材は、前記透明遊技盤の表側又は裏側のいずれかの遊技領域に振り分けられる遊技球の態様が正面側から視認可能に構成されることを特徴とする請求項１に記載の弾球遊技機。
【請求項３】
前記振分部材によって振り分けられた結果を報知する報知手段を備えることを特徴とする請求項１又は請求項２のいずれかに記載の弾球遊技機。
【請求項４】
前記透明遊技盤の表面及び裏面には釘が植設されていることを特徴とする請求項１乃至請求項３のいずれかに記載の弾球遊技機。
【発明の詳細な説明】
【技術分野】
【０００１】
本発明は、正面側から見て裏側が視認可能な透明遊技盤を備える弾球遊技機に関するものである。
【背景技術】
【０００２】
従来の遊技機には、所定の画像を表示する表示部の表面側に、複数の釘が植設された透明な透明遊技盤を備える遊技機がある（例えば、特許文献１参照）。この遊技機によれば、表示部が遊技球の流下を邪魔しない位置に備えられるため、遊技機は、より大きな表示部を備えることができ、当該表示部の表側においても遊技球が流下する態様を遊技者に見せることができるとともに、遊技の興趣を高めることができる。
【０００３】
しかし、当該遊技機では、所定の画像が大きな表示部に表示されるとともに遊技球が透明遊技盤の表側で流下するように構成されているが、遊技球が透明遊技盤の表側のみを流下するように構成されているため、遊技球の流下態様が単調であり、遊技の興趣の向上があまり望めなかった。
【０００４】
このため、出願人は、透明遊技盤の表側のみならず透明遊技盤の裏側も遊技球が流下するような構成にして、遊技領域を拡大することにより遊技の興趣を飛躍的に高めることができる遊技機の開発を検討した（例えば、特許文献２参照）。
【特許文献１】特開平１１−７６５１７号公報
【特許文献２】特願２００３−３４２２５６号公報
【発明の開示】
【発明が解決しようとする課題】
【０００５】
しかしながら、透明遊技盤の表側のみならず裏側も遊技球が流下したとしても、当該透明遊技盤の表側及び裏側を遊技球が単純に流下しているだけでは、流下している遊技球の態様が単調となってしまう恐れがあったため、更なる遊技性の向上を図ることのできる遊技機の開発が望まれていた。
【０００６】
そこで、本発明は、以上の点に鑑みてなされたものであり、透明遊技盤の表側及び裏側における広い遊技領域で遊技球を流下させる弾球遊技機において、遊技の興趣を飛躍的に高めることができる弾球遊技機を提供することを課題とする。
【課題を解決するための手段】
【０００７】
本発明は、上記課題を解決するために、正面側から見て裏側が視認可能な透明遊技盤（例えば、透明遊技盤１９）を備える弾球遊技機であって、透明遊技盤の表側及び裏側には遊技球が流下可能な遊技領域（例えば、遊技領域Ｒ１，Ｒ２）が備えられており、透明遊技盤の表側又は裏側に備えられた遊技領域を流下する遊技球を受け入れ、受け入れた遊技球を振り分けて透明遊技盤の表側又は裏側のいずれかの遊技領域に排出する振分部材（例えば、振分部材２８）を備えることを特徴とする。
【０００８】
このような本発明によれば、透明遊技盤の表側又は裏側に備えられた遊技領域を流下する遊技球を受け入れ、受け入れた遊技球を振り分けて透明遊技盤の表側又は裏側のいずれかの遊技領域に排出する振分部材が備えられたことにより、遊技領域が飛躍的に広くなるため、弾球遊技機は遊技性を高めることができる。また、振分部材によって遊技球がいずれかの遊技領域に振り分けられるため、弾球遊技機は、当該遊技球がいずれかの遊技領域に振り分けられることによる遊技の期待感を遊技者に抱かせることができるとともに、遊技の興趣を高めることができる。
【０００９】
上記発明においては、振分部材は、透明遊技盤の表側又は裏側のいずれかの遊技領域に振り分けられる遊技球の態様が正面側から視認可能に構成されてもよい。この場合には、振分部材が、透明遊技盤の表側又は裏側のいずれかの遊技領域に振り分けられる遊技球の態様が正面側から視認可能に構成されることにより、弾球遊技機は、当該遊技球がいずれかの遊技領域に振り分けられる態様を遊技者に見せることで、振分部材によって遊技球が振り分けられた後における遊技の期待感を遊技者に抱かせることができ、遊技の興趣を更に高めることができる。
【００１０】
上記発明においては、振分部材によって振り分けられた結果を報知する報知手段（例えば、ランプ２６ａ及び２６ｂ、検知部２９ａ及び２９ｂ）を備えてもよい。この場合には、振分部材によって振り分けられた結果を報知する報知手段が備えられたことにより、弾球遊技機は、遊技球がいずれかの遊技領域に振り分けられたことを遊技者に容易に認識させることで、振分部材によって遊技球が振り分けられた後における遊技の期待感を遊技者に抱かせることができ、遊技の興趣を更に高めることができる。
【００１１】
上記発明においては、透明遊技盤の表面及び裏面には釘（例えば、釘２７）が植設されてもよい。この場合には、透明遊技盤の表面のみならず裏面も釘が植設されることにより、１枚の透明遊技盤で複数の遊技領域が形成可能となるため、遊技領域を設計する際の自由度が向上する。
【発明の効果】
【００１２】
以上説明したように本発明によれば、透明遊技盤の表側及び裏側における広い遊技領域で遊技球を流下させる弾球遊技機において、遊技の興趣を飛躍的に高めることができる。
【発明を実施するための最良の形態】
【００１３】
（本実施形態における弾球遊技機の構成）
本実施形態における弾球遊技機の構成について、図面を参照しながら説明する。図１は、本実施形態における弾球遊技機１を示す斜視図である。
【００１４】
同図に示すように、弾球遊技機１は、遊技場の島設備に弾球遊技機１を設置するために設けられている外枠５０と、外枠５０に回動可能に軸支されている前枠１０と、回転操作されることにより透明遊技盤１９上の遊技領域に向けて遊技球を発射するように構成されている発射ハンドル２４と、遊技球を受け入れる上皿／下皿３０と、所定の遊技状態等であることを遊技者に所定の効果音若しくは音で報知するスピーカ４０ａ及び４０ｂ（報知手段）と、所定の賞球等を報知するランプや玉切れ等のエラーを表示するランプ２６ａ及び２６ｂとを具備する。この前枠１０にはガラス２５が嵌め込まれたガラス扉２３が回動可能に軸支されており、当該ガラス２５の裏側には後述する透明遊技盤１９が配備されている。
【００１５】
図２は、透明遊技盤１９を示す図である。同図に示すように、透明遊技盤１９は、透明遊技盤１９の表面に備えられ、遊技球を受け入れ、受け入れた遊技球を裏側に備えられた遊技領域Ｒ２へ誘導するための受入口１２と、遊技球を受け入れ可能なＶ入賞口１６と、透明遊技盤１９の表面に備えられ、Ｖ入賞口１６への入賞が成立したことを条件に、所定の特典（例えば、１０秒開放する等）を付与するように構成される大入賞口１４と、遊技球の流下方向に変化を与える部材であり、透明遊技盤１９の表面及び裏面に植設された釘２７と、遊技球を排出するためのアウト口２２と、透明遊技盤１９の表側に備えられた遊技領域Ｒ１を流下する遊技球を受け入れ、受け入れた該遊技球を振り分けて透明遊技盤１９の表側又は裏側のいずれかの遊技領域に排出する振分部材２８と、後述する透明遊技盤１９の裏側に備えられた遊技領域Ｒ２に設けられた受入口１２の背後に形成される連通路２１の開口とを具備する。なお、受入口１２、Ｖ入賞口１６及び釘２７を含む遊技部材は、透明遊技盤１９の表側又は裏側のいずれか又は双方に具備されてもよい。
【００１６】
図３は、透明遊技盤１９の裏側を示す図である。同図に示すように、受入口１２の背後に形成される連通路２１の開口と、Ｖ入賞口１６の背後に形成される誘導路２０と、大入賞口１４の背後に形成されている誘導路１４１と、遊技球の流下方向に変化を与える釘２７と、振分部材２８の背後と、振分部材２８によって振り分けられた遊技球を排出するための振分穴３４と、遊技球を受け入れ、受け入れた遊技球を表側に備えられた遊技領域Ｒ１へ誘導するための受入口１２とが示されている。これらの各部については、図５の説明において詳述する。
【００１７】
ここで、図４（Ａ）乃至（Ｃ）は、透明遊技盤１９の具体的な構成を示す図である。図４（Ａ）乃至（Ｃ）に示すように、透明遊技盤１９は、弾球遊技機１の正面側から見て裏側が視認可能な透明性部材１９Ａで形成されている。この透明性部材１９Ａは、無色透明のアクリル樹脂材、ボリカーボネート樹脂又はポリアリレート樹脂等の合成樹脂で形成することができる。
【００１８】
図４（Ａ）に示すように、透明遊技盤１９は、透明性部材１９Ａが裏側の一部又は全体を覆うように構成され、当該透明性部材１９Ａの底部と木製部材１９Ｂの上部とが接合することにより構成されている。また、図４（Ｂ）に示すように、透明遊技盤１９は、木製部材１９Ｂの中心部に設けられた穴に透明性部材１９Ａが嵌め込まれることにより構成されてもよい。さらに、図４（Ｃ）に示すように、透明遊技盤１９は、透明な部材の片面側にある１９Ｃの部分を非透明にマスキング（塗装、印刷等）して１９Ａの部分のみを透明とすることにより構成されてもよい。
【００１９】
また、図５は、透明遊技盤１９の断面を示す図である。同図に示すように、透明遊技盤１９の表側及び裏側には、遊技球が流下可能であって上記受入口１２，Ｖ入賞口１６及び振分部材２８などが設けられた遊技領域Ｒ１，Ｒ２が備えられている。この透明遊技盤１９の裏側に備えられた遊技領域Ｒ２は、該遊技領域Ｒ２の空間を保持するためのケース１１により被覆されている。
【００２０】
同図に示すように、受入口１２の背後には、透明遊技盤１９の表側に備えられた遊技領域Ｒ１及び裏側に備えられた遊技領域Ｒ２が連通しており、遊技球が通過可能な連通路２１が備えられている。Ｖ入賞口１６の背後には、Ｖ入賞口１６に受け入れられた遊技球をケース１１の裏面へ誘導し、遊技領域外へ遊技球を排出するための誘導路２０が備えられている。遊技領域Ｒ１及び遊技領域Ｒ２に遊技球が投入され、当該遊技球がいずれの入賞口にも投入されないときには、当該遊技球はアウト口２２から排出される。
【００２１】
図６は、振分部材２８を示す斜視図である。同図に示すように、振分部材２８は、上部部材２８１と、下部部材２８２と、ガイド部材２８３と、螺旋部材２８４とを備えている。この本実施形態に係る振分部材２８は、透明遊技盤１９の中央又は中央近傍に配備され、振分部材２８から遊技領域Ｒ１に排出された遊技球がＶ入賞口１６へ流下する位置に配備されている。また、振分部材２８は、振分部材２８が遊技領域Ｒ１と遊技領域Ｒ２とを跨るような位置に配備される。
【００２２】
上部部材２８１は、遊技球の流下方向に変化を与える部材であり、透明遊技盤１９の表側又は裏側に備えられるとともに振分部材２８の上方に配備され、透明遊技盤１９の面に対して直角方向に立設された壁体で構成されている。この上部部材２８１は、側方から中心に沿って上方に突出された弓状の形状を有している。
【００２３】
ガイド部材２８３は、透明遊技盤１９の表側に備えられた遊技領域Ｒ１を流下する遊技球を受け入れ、受け入れた遊技球を螺旋部材２８４までガイドする部材である。このガイド部材２８３の一端が振分部材２８の側方に配備され、ガイド部材２８３の他端が螺旋部材２８４の一端に配備されている。
【００２４】
螺旋部材２８４は、ガイド部材２８３から受け入れた遊技球を振分部材２８の下部へ誘導可能な部材であり、螺旋状に傾斜している形状を有している。
【００２５】
下部部材２８２は、振分部材２８の底面を構成する部材であり、螺旋部材２８４を通じて流下してくる遊技球を透明遊技盤１９の表側又は裏側のいずれかの遊技領域Ｒ１，Ｒ２に排出するための振分穴２８５，２８６を配備している。これらの振分穴２８５，２８６は、透明遊技盤１９に備えられた円球状の切欠き部３３，３４（図５及び図６参照）が下方に位置するように下部部材２８２に配備されている。
【００２６】
なお、振分部材２８は、透明遊技盤１９の表側又は裏側のいずれかの遊技領域Ｒ１又はＲ２に振り分けられる遊技球の態様が弾球遊技機１の正面側から視認可能に構成されてもよい。具体的には、例えば、振分穴２８５，２８６を配備する下部部材２８２が透明な部材で形成されることにより、透明遊技盤１９の表側又は裏側のいずれかの遊技領域Ｒ１又はＲ２に振り分けられる遊技球の態様が弾球遊技機１の正面側から視認可能となる。
【００２７】
検知部２９ａ及び２９ｂは、振分穴２８５，２８６に配備（図５参照）され、遊技球が振分穴２８５，２８６を通過する度に、検知信号を出力可能に構成される検知手段である。上述のランプ２６ａ及び２６ｂは、それぞれ検知部２９ａ又は２９ｂが遊技球を検知したときは、遊技球が振分穴２８５又は２８６に振り分けられたことを報知する報知手段である。具体的には、ランプ２６ａは、検知部２９ａが遊技球を検知したときは、遊技球が振分穴２８５に振り分けられたことを、所定の点灯パターン（例えば、低速で点滅）を持って報知する。同様にして、ランプ２６ｂも、検知部２９ｂが遊技球を検知したときは、遊技球が振分穴２８６に振り分けられたことを、所定の点灯パターン（例えば、高速で点滅）を持って報知する。
【００２８】
なお、振分部材２８は、本実施形態に係る構成（いわゆる、クルーン）に限定されず、振分部材２８に受け入れられた遊技球が遊技領域Ｒ１又はＲ２のいずれかに振り分けられるように構成されてもよい。
【００２９】
なお、振分穴２８５，２８６が遊技領域Ｒ１又はＲ２のいずれかに遊技球を振り分けていたが、電気的に可動する可動部材が遊技領域Ｒ１又はＲ２のいずれかに遊技球を振り分けてもよい。
【００３０】
なお、振分部材２８に配備された上部部材２８１、下部部材２８２、ガイド部材２８３又は螺旋部材２８４のいずれか又は全部が遊技者によって視認困難な部材で構成されてもよい。
【００３１】
なお、ランプ２６ａ及び２６ｂが振分部材２８によって振り分けられた結果を報知しているが、これに限定されずスピーカ４０ａ及び４０ｂ、又は所定の画像を表示する表示装置（図示せず）が振分部材２８によって振り分けられた結果を報知してもよい。
【００３２】
なお、振分部材２８によって振り分けられた結果は報知されなくてもよい。
【００３３】
なお、振分部材２８の入口は、透明遊技盤１９の表側に構成されているが、透明遊技盤１９の裏側に構成されてもよいし、透明遊技盤１９の表側及び裏側に構成されてもよい。
【００３４】
なお、受け入れた遊技球を遊技領域外へ誘導する入賞口は、大入賞口１４及びＶ入賞口１６以外に設けてもよい。また、これらの入賞口は、透明遊技盤１０の表側に備えられることに限定されず、透明遊技盤１０の裏側に備えられてもよい。
【００３５】
（本実施形態における遊技機の作用及び効果）
このような本発明によれば、透明遊技盤１９の表側又は裏側に備えられた遊技領域Ｒ１又はＲ２を流下する遊技球を受け入れ、受け入れた遊技球を振り分けて透明遊技盤１９の表側又は裏側のいずれかの遊技領域Ｒ１又はＲ２に排出する振分部材２８が備えられたことにより、遊技領域が飛躍的に広くなるため、弾球遊技機１は遊技性を高めることができる。また、振分部材２８によって遊技球がいずれかの遊技領域Ｒ１又はＲ２に振り分けられるため、弾球遊技機１は、当該遊技球がいずれかの遊技領域Ｒ１又はＲ２に振り分けられることによる遊技の期待感を遊技者に抱かせることができるとともに、遊技の興趣を高めることができる。
【００３６】
また、振分部材２８が、透明遊技盤１９の表側又は裏側のいずれかの遊技領域Ｒ１又はＲ２に振り分けられる遊技球の態様が正面側から視認可能に構成されることにより、弾球遊技機１は、当該遊技球がいずれかの遊技領域Ｒ１又はＲ２に振り分けられる態様を遊技者に見せることで、振分部材２８によって遊技球が振り分けられた後における遊技の期待感を遊技者に抱かせることができ、遊技の興趣を更に高めることができる。
【００３７】
更に、振分部材２８によって振り分けられた結果を報知する報知手段（ランプ２６ａ及び２６ｂ、検知部２９ａ及び２９ｂ）が備えられたことにより、弾球遊技機１は、遊技球がいずれかの遊技領域Ｒ１又はＲ２に振り分けられたことを遊技者に容易に認識させることで、振分部材２８によって遊技球が振り分けられた後における遊技の期待感を遊技者に抱かせることができ、遊技の興趣を更に高めることができる。
【００３８】
また、透明遊技盤１９の表面のみならず裏面も釘２７が植設されることにより、１枚の透明遊技盤１９で複数の遊技領域Ｒ１及びＲ２が形成可能となるため、遊技領域を設計する際の自由度が向上する。
【図面の簡単な説明】
【００３９】
【図１】本実施形態における遊技機を示す斜視図である。
【図２】本実施形態における透明遊技盤を示す正面図である。
【図３】本実施形態における透明遊技盤を示す裏面図である。
【図４】本実施形態における透明遊技盤の詳細な構造を示す図である。
【図５】本実施形態における透明遊技盤を示す断面図である。
【図６】本実施形態における振分部材を示す斜視図である。
【符号の説明】
【００４０】
１…弾球遊技機、１０…前枠、１１…ケース、１２…受入口、１４…大入賞口、１６…Ｖ入賞口、１９…透明遊技盤、１９Ａ…透明性部材、１９Ｂ…木製部材、２０…誘導路、２１…連通路、２２…アウト口、２３…ガラス扉、２４…発射ハンドル、２５…ガラス、２６…ランプ、２７…釘、２８…振分部材、２９…検知部、３０…上皿／下皿、３３，３４…切欠き部、４０…スピーカ、５０…外枠、２８１…上部部材、２８２…下部部材、２８３…ガイド部材、２８４…螺旋部材、２８５，２８６…振分穴、Ｒ…遊技領域、
【図１】
2005168581.tif 000003
【図２】
2005168581.tif 000004
【図３】
2005168581.tif 000005
【図４】
2005168581.tif 000006
【図５】
2005168581.tif 000007
【図６】
2005168581.tif 000008